(57)【特許請求の範囲】
【請求項１】
画像データの処理を実行する画像処理部と、
メモリを有し、ユーザの入力操作を受け付ける操作部と、
前記画像処理部および前記操作部への電力供給を行う第１電力供給モードと、前記画像処理部への電力供給を遮断し前記操作部への電力供給を行う第２電力供給モードとを実行する電力供給部と、を備え、
前記画像処理部は、
前記電力供給部が前記第１電力供給モードである場合、予め定められた遮断条件を満たすかどうかを判断する遮断判断処理と、
前記遮断条件を満たすと判断した場合に通知信号を前記操作部に送信する送信処理とを実行する構成を有し、
前記画像処理部および前記操作部の少なくともいずれか一方は、
前記遮断判断処理で前記遮断条件を満たすと判断された場合に前記電力供給部を前記第２電力供給モードに切り替える遮断処理を実行する構成を有し、
前記操作部は、
前記送信処理で送信されてきた前記通知信号に基づく通知情報を前記メモリに記憶する記憶処理と、
ユーザの入力操作を受け付けたときに前記メモリに前記通知情報が記憶されている場合、前記電力供給部を前記第２電力供給モードから前記第１電力供給モードに復帰させる復帰処理とを実行する構成を有する画像処理装置。
【請求項２】
請求項１に記載の画像処理装置であって、
前記操作部は、前記電力供給部が前記第１電力供給モードである場合、受け付けた入力操作に応じた命令を前記画像処理部に与え、前記電力供給部が前記第２電力供給モードである場合、受け付けた入力操作に応じた命令を、前記画像処理部を介さずに前記電力供給部に与えて前記第１電力供給モードに復帰させる前記復帰処理を実行する構成を有する、画像処理装置。
【請求項３】
請求項２に記載の画像処理装置であって、
前記操作部は、前記通知信号に基づき前記遮断処理を実行する構成である、画像処理装置。
【請求項４】
請求項２または３に記載の画像処理装置であって、
前記操作部は、複数の操作キーを有し、前記電力供給部が前記第２電力供給モードである場合、ユーザの入力操作の有無を検知する操作検知処理を、前記複数の操作キーの一部の操作キーについて実行し、他の操作キーについて実行しない構成である、画像処理装置。
【請求項５】
請求項１から４のいずれか一項に記載の画像処理装置であって、
前記画像処理部は、第１ＣＰＵ、および、当該第１ＣＰＵよりも消費電力量が少ない第２ＣＰＵを有する構成であり、
前記電力供給部は、前記第１ＣＰＵの電力供給を停止した後に、前記第２ＣＰＵの電力供給を停止して前記第２電力供給モードに切り替わる構成である、画像処理装置。
【請求項６】
ユーザの入力操作を受け付ける操作部および電力供給部を備える画像処理装置に設けられ、前記電力供給部の電力供給により画像データの処理を実行する画像処理デバイスであって、
予め定められた遮断条件を満たすかどうかを判断する遮断判断処理と、
前記遮断条件を満たすと判断した場合、当該画像処理デバイス自身に対する前記電力供給部の電力供給を遮断させるための通知信号を出力する通知処理と、
前記画像処理装置が、前記通知信号に基づき、前記操作部により前記電力供給部に、当該画像処理デバイスおよび前記操作部への電力供給を行う第１電力供給モードから、当該画像処理デバイスへの電力供給を遮断し前記操作部への電力供給を行う第２電力供給モードに切り替える構成を有する第１モデルであるか、当該構成を有しない第２モデルであるかを認識するモデル認識処理とを実行する構成と、
前記画像処理装置が前記第１モデルであると認識した場合、前記遮断判断処理および前記通知処理を実行し、前記画像処理装置が前記第２モデルであると認識した場合、少なくとも前記通知処理を実行しない構成とを有する画像処理デバイス。
【請求項７】
請求項６に記載の画像処理デバイスであって、
前記画像処理装置が前記第２モデルであると認識した場合、予め定められた省電力条件を満たすかどうかを判断する省電力判断処理と、
前記省電力条件を満たすと判断した場合、当該省電力条件を満たす前よりも、消費電力量が少ない省電力処理と、を実行する構成を有する画像処理デバイス。
【請求項８】
請求項７に記載の画像処理デバイスであって、
前記省電力条件を満たす前には、前記画像処理装置が有する通信部でのデータ受信の有無を監視し、
前記省電力処理では、前記データ受信の有無の監視を停止し、外部機器に連なる外部コネクタが前記通信部のコネクタ部に装着されているかどうかを検知する、画像処理デバイス。
【請求項９】
請求項７または８に記載の画像処理デバイスであって、
前記省電力条件を満たす前には、前記第２モデルが有する複数の操作キー全てについて入力操作を受け付けたかどうかを検知し、
前記省電力処理では、前記複数の操作キーの一部の操作キーだけについて入力操作を受け付けたかどうかを検知する、画像処理デバイス。
【請求項１０】
請求項７から９のいずれか一項に記載の画像処理デバイスであって、
第１ＣＰＵ、および、当該第１ＣＰＵよりも消費電力量が少ない第２ＣＰＵを有し、
前記画像処理装置が前記第１モデルであると認識し、前記電力供給モードが前記第２電力供給モードから前記第１電力供給モードに復帰した場合、少なくとも第１ＣＰＵを動作させ、
前記画像処理装置が前記第２モデルであると認識した場合、前記省電力処理において前記第１ＣＰＵを停止させ前記第２ＣＰＵを動作させ、ユーザの入力操作を受け付けた場合、前記第１ＣＰＵを停止させたまま前記第２ＣＰＵの消費電力量を多くする、画像処理デバイス。
【発明の詳細な説明】
【技術分野】
【０００１】
本明細書によって開示される発明は、画像データの処理を実行する画像処理部への電力供給モードを切り換える技術に関する。
【背景技術】
【０００２】
従来から、画像データの処理を実行する画像処理部を有する画像処理装置において、画像処理部への電力供給モードを切り換えることで消費電力を抑制する構成を備えたものがある。例えば、プリンタ機能やコピー機能などの実行を制御するメインＣＰＵおよびサブＣＰＵを有し、これらのＣＰＵの消費電力量が互いに異なる複数の電力供給モードに切り換え可能な複合機がある（特許文献１）。この複合機において、最も消費電力量が抑制された電力供給モードでは、メインＣＰＵへの電力供給が遮断され、サブＣＰＵだけに電力供給がされ、このサブＣＰＵにより、ユーザの入力操作を受け付けたかどうかが検知される。
【先行技術文献】
【特許文献】
【０００３】
【特許文献１】特開２０１１−２２３３８７号公報
【発明の概要】
【発明が解決しようとする課題】
【０００４】
ところで、画像処理装置では、電源スイッチがオンされたまま、例えばユーザの入力操作や外部からの画像データの受信がない未使用状態で放置されることがあり、この場合、上記画像処理部に電力供給をすることは必ずしも必要ではない。しかし、上記従来の画像処理装置では、最も消費電力量が抑制された電力供給モードでも、サブＣＰＵに電力供給がされているため、消費電力を十分に抑制することができなかった。
【０００５】
本明細書では、画像処理装置の電源スイッチがオンされている間、常に、画像データの処理を実行する画像処理部に電力供給がされる構成に比べて、消費電力を抑制することが可能な技術を開示する。
【課題を解決するための手段】
【０００６】
本明細書によって開示される画像処理装置は、画像データの処理を実行する画像処理部と、ユーザの入力操作を受け付ける操作部と、前記画像処理部および前記操作部への電力供給を行う第１電力供給モードと、前記画像処理部への電力供給を遮断し前記操作部への電力供給を行う第２電力供給モードとを実行する電力供給部と、を備え、前記画像処理部および前記操作部の少なくともいずれか一方は、前記電力供給部が前記第１電力供給モードである場合、予め定められた遮断条件を満たすかどうかを判断する遮断判断処理を実行する構成を有し、前記画像処理部および前記操作部の少なくともいずれか一方は、前記遮断判断処理で前記遮断条件を満たすと判断された場合に前記電力供給部を前記第２電力供給モードに切り替える遮断処理を実行する構成を有する。
【０００７】
この構成によれば、予め定めた遮断条件を満たすと、電力供給部が第１電力供給モードから第２電力供給モードに切り替えられ、画像処理部への電力供給が遮断される。従って、画像処理装置の電源スイッチがオンされている間、常に、画像データの処理を実行する画像処理部に電力供給がされる構成に比べて、消費電力を抑制することが可能である。
【０００８】
上記画像処理装置では、前記操作部は、前記電力供給部が前記第１電力供給モードである場合、受け付けた入力操作に応じた命令を前記画像処理部に与え、前記電力供給部が前記第２電力供給モードである場合、受け付けた入力操作に応じた命令を、前記画像処理部を介さずに前記電力供給部に与えて前記第１電力供給モードに復帰させる復帰処理を実行する構成を有してもよい。
【０００９】
上記従来の画像処理装置では、最も消費電力量が抑制された電力供給モード時に、サブＣＰＵがユーザの入力操作の有無を判断しているため、仮にサブＣＰＵへの電力供給を遮断すれば、ユーザの入力操作に何ら反応しなくなってしまう。これに対し、本構成によれば、第２電力供給モード時には、受け付けた入力操作に応じた命令が、画像処理部を介さずに、操作部から電力供給部に与えられて第１電力供給モードに復帰し、画像処理部への電力供給が再開される。従って、画像データの処理を実行する画像処理部への電力供給が遮断されても、ユーザの入力操作に反応することが可能である。
【００１０】
上記画像処理装置では、前記画像処理部は、前記遮断判断処理を実行し、前記遮断条件を満たすと判断した場合に通知信号を前記操作部に与える構成であり、前記操作部は、前記通知信号に基づき前記電力供給部が前記第２電力供給モードであると判定する構成でもよい。
【００１１】
この構成によれば、画像処理部が遮断条件を満たすと判断した場合に通知信号が操作部に与えられ、操作部は、この通知信号に基づき電力供給部が第２電力供給モードであると判定する。これにより、操作部は、ユーザの入力操作を受け付けた場合、予め、上記通知信号に基づき電力供給部が第２電力供給モードであることを把握しているため、他の部に確認することなく、円滑に復帰処理を実行することができる。
【００１２】
上記画像処理装置では、前記操作部は、前記通知信号に基づき前記遮断処理を実行する構成でもよい。
この構成によれば、操作部は、復帰処理だけでなく遮断処理も実行する構成である。従って、遮断処理を画像処理部に実行させ、復帰処理を操作部に実行させる構成に比べて、画像処理部から電力供給部への制御経路が不要になる分だけ、遮断処理および復帰処理を実行するための構成を簡略化することができる。
【００１３】
上記画像処理装置では、前記操作部は、複数の操作キーを有し、前記電力供給部が前記第２電力供給モードである場合、ユーザの入力操作の有無を検知する操作検知処理を、前記複数の操作キーの一部の操作キーについて実行し、他の操作キーについて実行しない構成でもよい。
【００１４】
この構成によれば、第２電力供給モードでは、ユーザの入力操作の有無を検知する検知処理が、一部の操作キーについて実行され、他の操作キーについて実行されない。これにより、第２電力供給モードにおいて操作検知処理を複数の操作キー全てについて実行する構成に比べて、操作部の処理負担や消費電力量を抑制することができる。
【００１５】
上記画像処理装置では、前記制御部は、第１ＣＰＵ、および、当該第１ＣＰＵよりも消費電力量が少ない第２ＣＰＵを有する構成であり、前記電力供給部は、前記第１ＣＰＵの電力供給を停止した後に、前記第２ＣＰＵの電力供給を停止して前記第２電力供給モードに切り替わる構成でもよい。
この構成によれば、消費電力量が多い第１ＣＰＵから先に電力供給を停止するため、第２ＣＰＵから先に電力供給を停止する構成に比べて、消費電力を抑制することができる。
【００１６】
画像処理デバイスは、ユーザの入力操作を受け付ける操作部および電力供給部を備える画像処理装置に設けられ、前記電力供給部の電力供給により画像データの処理を実行する画像処理デバイスであって、予め定められた遮断条件を満たすかどうかを判断する遮断判断処理と、前記遮断条件を満たすと判断した場合、当該画像処理デバイス自身に対する前記電力供給部の電力供給を遮断させるための通知信号を出力する通知処理とを実行する構成を有する。
【００１７】
この構成によれば、予め定めた遮断条件を満たすと、通知信号が出力され、これにより、画像処理デバイス自身に対する電力供給部の電力供給が遮断される。従って、画像処理装置の電源スイッチがオンされている間、常に、画像処理デバイス自身に電力供給がされる構成に比べて、消費電力を抑制することが可能である。
【００１８】
上記画像処理デバイスでは、前記画像処理装置が、前記通知信号に基づき、前記操作部により前記電力供給部に、当該画像処理デバイスおよび前記操作部への電力供給を行う第１電力供給モードから、当該画像処理デバイスへの電力供給を遮断し前記操作部への電力供給を行う第２電力供給モードに切り替える構成を有する第１モデルであるか、当該構成を有しない第２モデルであるかを認識するモデル認識処理と、前記画像処理装置が前記第１モデルであると認識した場合、前記遮断判断処理および前記通知処理を実行し、前記画像処理装置が前記第２モデルであると認識した場合、少なくとも前記通知処理を実行しない構成を有してもよい。
【００１９】
この構成によれば、画像処理装置が第１モデルである場合、予め定めた遮断条件を満たすと、通知信号に基づき電力供給部から画像処理デバイスへの電力供給が遮断される。従って、画像処理装置の電源スイッチがオンされている間、常に、画像データの処理を実行する画像処理部に電力供給がされる構成に比べて、消費電力を抑制することが可能である。しかも、画像処理装置が第２モデルである場合には、通知信号は出力されない。即ち、画像処理デバイスは、画像処理装置が第１モデルか第２モデルかに応じて適切な処理を行うことができる。
【００２０】
上記画像処理デバイスでは、前記画像処理装置が前記第２モデルであると認識した場合、予め定められた省電力条件を満たすかどうかを判断する省電力判断処理と、前記省電力条件を満たすと判断した場合、当該省電力条件を満たす前よりも、消費電力量が少ない省電力処理と、を実行する構成を有してもよい。
この構成によれば、画像処理装置が第２モデルである場合、省電力条件を満たせば、画像処理デバイスによる消費電力を抑制することができる。
【００２１】
上記画像処理デバイスでは、前記省電力条件を満たす前には、前記画像処理装置が有する通信部でのデータ受信の有無を監視し、前記省電力処理では、前記データ受信の有無の監視を停止し、前記外部機器に連なる外部コネクタが前記通信部のコネクタ部に装着されているかどうかを検知してもよい。なお、前記省電力条件を満たす前には、前記画像処理装置が有する通信部でのデータ受信の有無を監視し、外部機器に連なる接続部が前記通信部のコネクタ部に接続されているかを検知する構成でもよい。
【００２２】
この構成によれば、画像処理装置が第２モデルである場合、データ受信の有無の監視を停止し、外部コネクタが通信部のコネクタ部に装着されているかどうかを検知する。これにより、データ受信の有無の監視を常に継続する構成に比べて、画像処理デバイスによる消費電力を抑制することができる。
【００２３】
上記画像処理デバイスでは、前記省電力条件を満たす前には、前記第２モデルが有する複数の操作キー全てについて入力操作を受け付けたかどうかを検知し、前記省電力処理では、前記複数の操作キーの一部の操作キーだけについて入力操作を受け付けたかどうかを検知してもよい。
【００２４】
この構成によれば、省電力処理では、一部の操作キーだけについてユーザの入力操作を受け付けたかどうかが検知される。これにより、常に複数の操作キー全てについて入力操作を受け付けたかどうかを検知する構成に比べて、画像処理デバイスの処理負担や消費電力量を抑制することができる。
【００２５】
上記画像処理デバイスでは、第１ＣＰＵ、および、当該第１ＣＰＵよりも消費電力量が少ない第２ＣＰＵを有し、前記画像処理装置が前記第１モデルであると認識し、前記電力供給モードが前記第２電力供給モードから前記第１電力供給モードに復帰した場合、少なくとも第１ＣＰＵを動作させ、前記画像処理装置が前記第２モデルであると認識した場合、前記省電力処理において前記第１ＣＰＵを停止させ前記第２ＣＰＵを動作させ、ユーザの入力操作を受け付けた場合、前記第１ＣＰＵを停止させたまま前記第２ＣＰＵの消費電力量を多くしてもよい。
【００２６】
この構成によれば、第１ＣＰＵおよび第２ＣＰＵの両方への電力供給が遮断される第１モデルでは、画像処理デバイス全体が初期化される。このため、電力供給が復帰された場合、消費電力の抑制よりも制御の安定性を優先し、且つ、早期に画像データの処理を実行できるように、少なくとも第１ＣＰＵを動作させるのが好ましい。これに対して、第２ＣＰＵのへの電力供給が遮断されない第２モデルでは、第１ＣＰＵの停止を維持することで消費電力を抑制するのが好ましい。
【００２７】
なお、この発明は、画像処理装置、画像処理デバイス、電力供給制御方法、これらの方法または装置の機能を実現するためのコンピュータプログラム、そのコンピュータプログラムを記録した記録媒体等の種々の態様で実現することができる。
【発明の効果】
【００２８】
本発明によれば、画像処理装置の電源スイッチがオンされている間、常に、画像データの処理を実行する画像処理部に電力供給がされる構成に比べて、消費電力を抑制することが可能である。
【図面の簡単な説明】
【００２９】
【図１】一実施形態の複合機の電気的構成図
【図２】プリンタの電気的構成図
【図３】複合機における画像処理デバイス、操作部および電源ユニットのシーケンス図
【図４】プリンタにおける画像処理デバイス、操作部および電源ユニットのシーケンス図
【発明を実施するための形態】
【００３０】
一実施形態について図１〜図４を参照しつつ説明する。本実施形態の画像処理デバイス１は、互いに異なる複数のモデルの画像処理装置それぞれに組み込み可能であり、組み込まれたモデルに応じた処理を実行する。以下、モデルの例として、印刷機能、スキャナ機能、コピー機能など複数の機能を有する複合機２と、印刷機能のみ有するプリンタ３とを挙げ、それぞれのモデルに組み込まれた場合の画像処理デバイス１の処理について説明する。図１には、画像処理デバイス１が組み込まれた複合機２の電気的構成が示されており、図２には、画像処理デバイス１が組み込まれたプリンタ３の電気的構成が示されている。各図中の実線矢印は制御信号などが伝送される信号ラインであり、点線矢印は電力供給ラインである。
【００３１】
（画像処理デバイスの構成）
図１に示すように、画像処理デバイス１は、メイン基板１０上に、高速ＣＰＵ（中央処理装置）１１、低速ＣＰＵ１２、メモリ１３およびＤＣ−ＤＣコンバータ１４が搭載されて構成されている。高速ＣＰＵ１１は、低速ＣＰＵ１２に比べて、処理能力が高く、また単位時間あたりの消費電力量が大きい。例えば高速ＣＰＵ１１の最大クロックは１ＧＨｚ、消費電力量は５０Ｗであり、低速ＣＰＵ１２の最大クロックは３００ＭＨｚ、消費電力量は２０Ｗである。なお、画像処理デバイス１は、画像処理部の一例であり、高速ＣＰＵ１１は第１ＣＰＵの一例であり、低速ＣＰＵ１２は第２ＣＰＵの一例である。
【００３２】
メモリ１３は、例えばＲＡＭやＲＯＭを有する構成である。このメモリ１３には、複合機２やプリンタ３の動作を制御するための各種のプログラムが記憶されており、高速ＣＰＵ１１および低速ＣＰＵ１２は、メモリ１３から読み出したプログラムに従って、複合機２やプリンタ３の各部を制御する。なお、上記各種のプログラムが記憶される媒体は、ＲＡＭ等以外に、ＣＤ−ＲＯＭ、ハードディスク装置、フラッシュメモリ（登録商標）などの不揮発性メモリでもよい。ＤＣ−ＤＣコンバータ１４は、複合機２やプリンタ３に組み込まれた場合、これらが備える後述の電源ユニット３０，６０からの直流電力を、所定電圧の直流電力に変換して高速ＣＰＵ１１、低速ＣＰＵ１２およびメモリ１３に供給する。
【００３３】
（複合機の構成）
図１に示すように、複合機２は、上記画像処理デバイス１、操作部２０、電源ユニット３０、通信部４１、印刷部４２およびスキャナ部４３を備える。そして、複合機２は、操作部２０が、画像処理デバイス１から出力された通知信号に基づき、電源ユニット３０に、当該画像処理デバイス１および操作部２０への電力供給を行う第１電力供給モードから、当該画像処理デバイス１への電力供給を遮断し操作部２０への電力供給を行う第２電力供給モードに切り替える構成を有する、第１モデルの画像処理装置である。
【００３４】
操作部２０は、例えばシリアル通信線等の通信ラインＬ１を介して、画像処理デバイス１とデータ通信可能に接続されている。また、操作部２０は、パネル基板２１上に、パネルＣＰＵ２２、メモリ２３、表示部２４、操作パネル２５およびＤＣ−ＤＣコンバータ２６を有する。メモリ２３には、操作部２０の動作を制御するための各種のプログラムが記憶されており、パネルＣＰＵ２２は、メモリ２３から読み出したプログラムに従って、操作部２０の各部を制御する。
【００３５】
表示部２４は、例えば液晶ディスプレイであって、各種の設定画面や装置の動作状態等を表示することが可能である。操作パネル２５は、複数の操作キーＫ１〜Ｋ３を有し、ユーザにより各種の指示や設定の入力操作が可能である。ＤＣ−ＤＣコンバータ２６は、電源ユニット３０からの直流電力を所定電圧の直流電力に変換し、その変換後の直流電力を、パネルＣＰＵ２２と操作パネル２５に供給し、また、表示スイッチ２７を介して表示部２４に供給する。パネルＣＰＵ２２は、表示スイッチ２７をオンオフして表示部２４への電力供給の入り切りを制御することができる。
【００３６】
電源ユニット３０は、電力供給部の一例であり、メインスイッチ３１およびＡＣ−ＤＣコンバータ３２を有する。ＡＣ−ＤＣコンバータ３２は、複合機２自身への電源投入を入り切りするための電源スイッチ４０を介して商用電源に接続される。電源スイッチ４０がオンされると、ＡＣ−ＤＣコンバータ３２は、商用電源からの交流電力を直流電力に変換し、その直流電力を、メインスイッチ３１を介して画像処理デバイス１のＤＣ−ＤＣコンバータ１４に供給し、また、操作部２０のＤＣ−ＤＣコンバータ２６に直接供給する。
【００３７】
また、電源ユニット３０は、信号線Ｌ２を介して操作部２０に接続されており、これにより、パネルＣＰＵ２２は、画像処理デバイス１を介さずに、メインスイッチ３１をオンオフするための命令を電源ユニット３０に送信して、画像処理デバイス１への電力供給の入り切りを制御することができる。すなわち、操作部２０は、電源ユニット３０を、第１電力供給モードと第２電力供給モードとの間で切り換えることができる。
【００３８】
通信部４１は、ネットワーク用コネクタやＵＳＢ（Ｕｎｉｖｅｒｓａｌ  Ｓｅｒｉａｌ  Ｂｕｓ）コネクタなど、外部機器に連なる外部コネクタを装着可能なコネクタ部４１Ａを有し、外部機器と通信するためのデバイスである。画像処理デバイス１は、通信部４１による外部機器との画像データの通信処理、印刷部４２による画像データの印刷処理、および、スキャナ部４３による原稿画像のスキャン処理を実行することができる。これらの処理が、画像データの処理の一例である。
【００３９】
（プリンタの構成）
図２に示すように、プリンタ３は、上記画像処理デバイス１、操作部５０、電源ユニット６０、通信部７１、印刷部７２を備える。そして、プリンタ３は、複合機２のような操作部２０や電源ユニット３０を有しておらず、操作部５０が、画像処理デバイス１からの通信信号を受けても、電源ユニット６０を上記第１電力供給モードから第２電力供給モードに切り替えることができない、第２モデルの画像処理装置である。即ち、プリンタ３では、上記複合機２とは異なり、操作部５０は、画像処理デバイス１への電力供給の入り切りを制御することができない。
【００４０】
操作部５０は、例えばパラレル制御線等の通信ラインＬ３を介して、画像処理デバイス１とデータ通信可能に接続されている。また、操作部５０は、パネル基板５１上に、表示部５２、操作パネル５３およびＤＣ−ＤＣコンバータ５４を有する。表示部５２は、例えば液晶ディスプレイであって、各種の設定画面や装置の動作状態等を表示することが可能である。操作パネル５３は、複数の操作キーＫ４〜Ｋ６を有し、ユーザにより各種の指示や設定の入力操作が可能である。ＤＣ−ＤＣコンバータ５４は、電源ユニット６０からの直流電力を、所定電圧の直流電力に変換して表示部５２および操作パネル５３に供給する。
【００４１】
電源ユニット６０は、電力供給部の一例であり、ＡＣ−ＤＣコンバータ６１を有し、このＡＣ−ＤＣコンバータ６１は、プリンタ３自身への電源投入を入り切りするための電源スイッチ７０を介して商用電源に接続されている。電源スイッチ７０がオンされると、ＡＣ−ＤＣコンバータ６１は、商用電源からの交流電力を直流電力に変換し、画像処理デバイス１のＤＣ−ＤＣコンバータ１４、および、操作部５０のＤＣ−ＤＣコンバータ５４それぞれに直接供給する。
【００４２】
通信部７１は、ネットワーク用コネクタやＵＳＢコネクタなど、外部機器に連なる外部コネクタを装着可能なコネクタ部７１Ａを有し、外部機器と通信するためのデバイスである。画像処理デバイス１は、通信部７１による外部機器との画像データの通信処理、および、印刷部７２による画像データの印刷処理を実行することができる。これらの処理が、画像データの処理の一例である。
【００４３】
（複合機のシーケンス制御）
図３には、複合機２における画像処理デバイス１、操作部２０および電源ユニット３０のシーケンス図が示されている。複合機２の電源スイッチ４０がオンされると、電源ユニット３０は上記第１電力供給モードになる。即ち、まず、電源ユニット３０はパネルＣＰＵ２２および操作パネル２５への電力供給を開始し（Ｓ１）、これにより、パネルＣＰＵ２２は起動しリセット状態を解除して動作可能な状態になり（Ｓ２）、操作キーが押下されたどうかに基づきユーザの入力操作を受け付けたかどうかを検知する操作検知処理を、操作パネル２５の操作キーＫ１〜Ｋ３全てを対象として開始する。次に、パネルＣＰＵ２２は、表示スイッチ２７をオンして表示部２４への電力供給を開始し、複合機２の状態に応じて「Ｗａｒｍｉｎｇ  ｕｐ」「Ｒｅａｄｙ」「Ｐｒｉｎｔｉｎｇ」等のメッセージを表示させる（Ｓ３）。
【００４４】
次に、パネルＣＰＵ２２は、メインスイッチ３１をオンし（Ｓ４）、これにより電源ユニット３０は、画像処理デバイス１の高速ＣＰＵ１１、低速ＣＰＵ１２およびメモリ１３への電力供給を開始し（Ｓ５）、高速ＣＰＵ１１は起動してリセット状態を解除して動作可能な状態になる（Ｓ６）。なお、このとき、低速ＣＰＵ１２はリセット状態を維持し動作不能な状態である。そして、高速ＣＰＵ１１は、画像処理デバイス１が組み込まれている画像処理装置が複合機２であるか、プリンタ３であるかを認識するモデル認識処理を実行する（Ｓ７）。モデルの認識方法の例としては、高速ＣＰＵ１１が操作部への信号を送信し、その返信信号があるかどうかで認識する方法、予めメモリ１３に記憶されたモデル情報を参照して認識する方法が挙げられる。
【００４５】
高速ＣＰＵ１１は、画像処理装置が複合機２であると認識した場合、以下の処理を実行する。まず、高速ＣＰＵ１１とパネルＣＰＵ２２とは通信設定処理をそれぞれ行うことで（Ｓ８，Ｓ９）、画像処理デバイス１と操作部２０との間で互いに通信可能になる（Ｓ１０）。また、このとき、画像処理デバイス１は、操作部２０で受け付けたユーザの入力操作に応じて上記印刷処理等を即時に実行可能な通常モードになる（Ｓ１１）。
【００４６】
通常モードでは、高速ＣＰＵ１１は、通常モードから第１次省電力モードに切り替えるための第１次条件を満たすかどうかを判断する第１次判断処理を開始する（Ｓ１２）。第１次省電力モードは、画像処理デバイス１および操作部２０への電力供給は継続されるが、高速ＣＰＵ１１は停止し、低速ＣＰＵ１２が動作している状態である。第１次条件の一例としては、例えば、通常モードにおいて、操作パネル２５での入力操作の受付、および、通信部４１での画像データの受信のいずれも無い状態が第１基準時間以上継続したことが挙げられる。
【００４７】
高速ＣＰＵ１１は、第１次条件を満たしたと判断すると（Ｓ１３）、低速ＣＰＵ１２のリセット状態を解除し動作可能な状態とし（Ｓ１４）、これにより、低速ＣＰＵ１２は、起動して通信設定処理を行うことで操作部２０との間で互いに通信可能になる（Ｓ１５）。そして、低速ＣＰＵ１２は、第１次条件を満たしたこと、換言すれば第１次省電力モードに切り替わることを通知する通知信号をパネルＣＰＵ２２に送信する（Ｓ１６）。パネルＣＰＵ２２は、この通知を受けると、その通知情報をメモリ２３に記憶し、表示スイッチ２７をオフして表示部２４への電力供給を遮断する（Ｓ１７）。
【００４８】
また、高速ＣＰＵ１１は、低速ＣＰＵ１２と操作部２０との間で通信可能になった後、停止状態になる（Ｓ１８）。これにより、画像処理デバイス１と操作部２０との間の通信が途絶えることを抑制することができる。以上のように、第１次省電力モードでは、表示部２４への電力供給が遮断され、高速ＣＰＵ１１が停止状態である分だけ、通常モードに比べて消費電力が抑制されている。
【００４９】
低速ＣＰＵ１２は、操作部２０との間で互いに通信可能になると、操作パネル２５の操作キーＫ１からＫ３全てを対象とする上記操作検知処理を実行可能になる。また、低速ＣＰＵ１２は、例えば５０ｍｓごとに処理を進める間欠動作を開始することにより（Ｓ１９）、常時動作を行う場合に比べて、低速ＣＰＵ１２による消費電力を抑制する。そして、低速ＣＰＵ１２は、高速ＣＰＵ１１に代わって、間欠動作で、パネル操作の監視に加えて、通信部４１により、外部機器からの画像データの受信の有無の監視、および、外部機器との通信等を開始する（Ｓ２０）。
【００５０】
第１次省電力モードでは、低速ＣＰＵ１２は、第１次省電力モードから第２次省電力モードに切り替えるための第２次条件を満たすかどうかを判断する第２次判断処理を開始する（Ｓ２１）。第２次省電力モードは、操作部２０への電力供給は継続されるが、画像処理デバイス１への電力供給は遮断されている状態である。第２次条件の一例としては、例えば、第１次省電力モードにおいて、操作パネル２５での入力操作の受付、および、通信部４１での画像データの受信のいずれも無い状態が第２基準時間以上継続したことが挙げられる。なお、第２次条件は遮断条件の一例であり、第２次判断処理は遮断判断処理の一例である。
【００５１】
低速ＣＰＵ１２は、第２次条件を満たしたと判断すると（Ｓ２２）、第２次条件を満たしたこと、換言すれば第２次省電力モードに切り替わることを通知する通知信号をパネルＣＰＵ２２に送信する（Ｓ２３）。すると、パネルＣＰＵ２２は、その通知情報をメモリ２３に記憶する。これにより、操作部２０は、その遮断後に、ユーザの入力操作を受け付けた場合、予め、通知情報に基づき電力供給部が第２電力供給モードであることを把握しているため、他の部に確認することなく、円滑に復帰処理を実行することができる。
【００５２】
また、操作部２０は、操作パネル２５の操作キーＫ１からＫ３のうち一部の特定キー、例えば操作キーＫ１のみを対象として、上記操作検知処理を実行し（Ｓ２４）、この操作キーＫ１が押下されたときだけ、入力操作を受け付けたと判定する。これにより、操作キーＫ１〜Ｋ３全てを対象として検知処理を続行する構成に比べて、画像処理デバイス１の処理負担や消費電力量を抑制することができる。なお、特定キーは、機能選択のための操作キーや表示部に初期画面を表示させるための操作キーなど、ユーザが押下する頻度が比較的に高い操作キーが好ましい。
【００５３】
パネルＣＰＵ２２は、上記操作検知処理の開始後、メインスイッチ３１をオフして（Ｓ２５）、電源ユニット３０を第１電力供給モードから第２電力供給モードに切り替える遮断処理を実行する。これにより、画像処理デバイス１への電力供給が遮断される（Ｓ２６）。このように高速ＣＰＵ１１に加えて低速ＣＰＵ１２も含めて電力供給を遮断することでより多くの消費電力を抑制することができる。
【００５４】
但し、画像処理デバイス１への電力供給が遮断されても、操作部２０への電力供給が継続されており、パネルＣＰＵ２２は、上記操作検知処理を常時または間欠的に実行している。このため、上記特定キーＫ１が押下されると、パネルＣＰＵ２２は、その割り込み信号が操作パネル２５から受けることで入力操作を受け付けたと判定する（Ｓ２７）。また、パネルＣＰＵ２２は、メモリ２３に記憶された通知情報を参照して、現在の動作モードが第２次省電力モードであることを確認し（Ｓ２８）、図３のＸ１に戻る。そして、パネルＣＰＵ２２は、メインスイッチ３１をオンして電源ユニット３０を第２電力供給モードから第１電力供給モードに復帰させる復帰処理を実行し、図３のＸ１に戻る。これにより、複合機２は、第２次省電力モードから、第１次省電力モードではなく、通常モードに直接戻る。
【００５５】
（プリンタのシーケンス制御）
図４には、プリンタ３における画像処理デバイス１、操作部５０および電源ユニット６０のシーケンス図が示されている。プリンタ３の電源スイッチ７０がオンされると、電源ユニット６０は、表示部５２、操作パネル５３、高速ＣＰＵ１１および低速ＣＰＵ１２への電力供給を開始し（Ｓ３１）、これにより、高速ＣＰＵ１１は起動してリセット状態を解除し動作可能な状態となり（Ｓ３２）、上述したモデル認識処理（Ｓ３３）により、画像処理デバイス１が組み込まれている画像処理装置がプリンタ３であると認識した場合、以下の処理を実行する。
【００５６】
まず、高速ＣＰＵ１１は、プリンタ３の状態に応じて「Ｗａｒｍｉｎｇ  ｕｐ」「Ｒｅａｄｙ」「Ｐｒｉｎｔｉｎｇ」等のメッセージを表示させ（Ｓ３４）、また、上記操作検知処理を、操作パネル５３の操作キーＫ４〜Ｋ６全てを対象として開始する（Ｓ３５）。これにより、画像処理デバイス１は、操作部５０で受け付けたユーザの入力操作に応じて上記印刷処理を即時に実行可能な通常モードになる（Ｓ３６）。通常モードでは、高速ＣＰＵ１１は、上述した第１次判断処理を開始し（Ｓ３７）、第１次条件を満たしたと判断すると（Ｓ３８）、低速ＣＰＵ１２のリセット状態を解除して動作可能な状態とし（Ｓ３９）、これにより、低速ＣＰＵ１２は、上記操作検知処理を、操作パネル５３の操作キーＫ４〜Ｋ６全てを対象として開始する（Ｓ４０）。
【００５７】
また、低速ＣＰＵ１２は、高速ＣＰＵ１１に代わって、上述した間欠動作で（Ｓ４１）、パネル操作の監視に加えて、通信部７１により、外部機器からの画像データの受信の有無の監視、および、外部機器との通信等を開始する（Ｓ４２）。高速ＣＰＵ１１は、低速ＣＰＵ１２が間欠動作を開始した後、リセット状態になって停止する（Ｓ４３）。
【００５８】
第１次省電力モードでは、低速ＣＰＵ１２は、第１次省電力モードから第３次省電力モードに切り替えるための第３次条件を満たすかどうかを判断する第３次判断処理を開始する（Ｓ４４）。第３次省電力モードは、第１次省電力モードよりも消費電力が抑制された状態である。これにより、プリンタ３において、省電力条件を満たせば、画像処理デバイス１による消費電力を抑制することができる。なお、第３次条件の一例としては、例えば、第１次省電力モードにおいて、操作パネル２５での入力操作の受付、および、通信部４１での画像データの受信のいずれも無い状態が第２基準時間以上継続したことが挙げられる。また、第３次条件は省電力条件の一例であり、第３次判断処理は省電力判断処理の一例である。
【００５９】
低速ＣＰＵ１２は、第３次条件を満たしたと判断すると（Ｓ４５）、表示部５２の表示を停止させ（Ｓ４６）、また、消費電力量が少ない省電力処理を実行する。具体的には、低速ＣＰＵ１２は、操作検知処理を、操作パネル５３の操作キーＫ４からＫ６のうち一部の特定キー、例えば操作キーＫ４のみを対象として実行し（Ｓ４７）、この操作キーＫ４が押下されたときだけ、入力操作有りと判定する。これにより、常に複数の操作キー全てについて操作検知処理を続行する構成に比べて、画像処理デバイス１の処理負担や消費電力量を抑制することができる。
【００６０】
また、低速ＣＰＵ１２は、通信部７１による通信処理を停止し（Ｓ４８）、例えばコネクタ部７１Ａからの信号の有無を検知したり、図示しない装着センサの検知結果により、当該コネクタ部７１Ａに外部コネクタが装着されているかどうかを検知したりする装着検知処理を開始する（Ｓ４９）。これより、データ受信の有無の監視を常に継続する構成に比べて、画像処理デバイス１による消費電力を抑制することができる。また、低速ＣＰＵ１２は、上記特定キーＫ４が押下されると（Ｓ５０）、その割り込み信号が操作パネル５３から受けることで入力操作を受け付けたと判定し（Ｓ５１）、表示部５２に表示動作を再開させて（Ｓ５２）、図４のＸ２に戻る。これにより、プリンタ３は、通常モードではなく、第１次省電力モードに戻る。
【００６１】
（本実施形態の効果）
本実施形態によれば、複合機２において、第２次条件を満たすと、電源ユニット３０が第１電力供給モードから第２電力供給モードに切り替えられ、画像処理デバイス１への電力供給が遮断される。従って、複合機２の電源スイッチ４０がオンされている間、常に、画像処理デバイス１に電力供給がされている構成に比べて、消費電力を抑制することが可能である。
【００６２】
ところで、上記従来の画像処理装置には、サブＣＰＵのみ電力供給して電力消費を抑制するものはあるが、ユーザの入力操作に反応するためにはサブＣＰＵへの電力供給を継続する必要がある。これに対し、本実施形態によれば、第２電力供給モード時には、受け付けた入力操作に応じた命令が、画像処理デバイス１を介さずに、操作部２０から電源ユニット３０に与えられて第１電力供給モードに復帰し、画像処理デバイス１への電力供給が再開される。従って、画像処理デバイス１への電力供給が遮断することができ、より電力消費量を抑制することができる。
【００６３】
また、操作部２０は、電源ユニット３０に対して復帰処理だけでなく遮断処理も実行する構成である。従って、遮断処理を画像処理デバイス１に実行させ、復帰処理を操作部２０に実行させる構成に比べて、画像処理デバイス１から電源ユニット３０への制御経路が不要になる分だけ、遮断処理および復帰処理を実行するための構成を簡略化することができる。
【００６４】
更に、画像処理デバイス１は、組み込まれた画像処理装置が第１モデルの複合機２である場合、第２次条件を満たすと、通知信号に基づき電源ユニット３０から画像処理デバイス自身への電力供給が遮断される。従って、複合機２の電源スイッチ４０がオンされている間、常に、画像処理デバイス１に電力供給がされている構成に比べて、消費電力を抑制することが可能である。しかも、画像処理装置が第２モデルのプリンタ３である場合には、通知信号は出力されない。即ち、画像処理デバイス１は、画像処理装置が第１モデルか第２モデルかに応じて適切な処理を行うことができる。
【００６５】
複合機２において、第２次省電力モードでは、高速ＣＰＵ１１および低速ＣＰＵ１２の両方への電力供給が遮断され、画像処理デバイス１全体が初期化される。このため、電力供給が復帰された場合、消費電力の抑制よりも制御の安定性を優先し、且つ、早期に画像データの処理を実行できるように、少なくとも高速ＣＰＵ１１を動作させる通常モードに戻るのが好ましい。しかも、複合機２では、スキャン機能やコピー機能など、操作部２０での入力操作により即時に実行を要する機能を有するため、やはり通常モードに戻るのが特に好ましい。これに対して、プリンタ３において、第３次省電力モードでは、低速ＣＰＵ１２のへの電力供給が遮断されないため、初期化の必要はない。このため、入力操作を受け付けた場合、消費電力の抑制を優先して、通常モードではなく、高速ＣＰＵ１１の停止を維持する第１次省電力モードに戻るのが好ましい。しかも、プリンタ３では、印刷処理を実行するためには、ユーザは、外部機器にて印刷要求をする必要があるため、複合機２に比べて即時実行可能な通常モードに戻る必要性は低い。
【００６６】
（参考例）
以下の技術は、本発明に関連する参考例である。これらの各構成要素の具体的構成は、上記実施形態で説明されている。また、これらの技術では、遮断判断処理および遮断処理を実行する構成を備えず、これらの処理を、外部機器に実行させたり、ユーザの入力操作により実行したりする構成が含まれる。
【００６７】
＜技術１＞
画像データの処理を実行する画像処理部と、
ユーザの入力操作を受け付ける操作部と、
前記画像処理部および前記操作部への電力供給を行う第１電力供給モードと、前記画像処理部への電力供給を遮断し前記操作部への電力供給を行う第２電力供給モードとを実行する電力供給部と、を備え、
前記操作部は、前記電力供給部が前記第１電力供給モードである場合、受け付けた入力操作に応じた命令を前記画像処理部に与え、前記電力供給部が前記第２電力供給モードである場合、受け付けた入力操作に応じた命令を、前記画像処理部を介さずに前記電力供給部に与えて前記第１電力供給モードに復帰させる復帰処理を実行する構成を有する、画像処理装置。
【００６８】
＜技術２＞
画像データの処理を実行する画像処理部と、
ユーザの入力操作を受け付ける操作部と、
前記画像処理部および前記操作部への電力供給を行う第１電力供給モードと、前記画像処理部への電力供給を遮断し前記操作部への電力供給を行う第２電力供給モードとを実行する電力供給部と、を備え、
前記操作部は、複数の操作キーを有し、前記電力供給部が前記第２電力供給モードである場合、ユーザの入力操作の有無を検知する操作検知処理を、前記複数の操作キーの一部の操作キーについて実行し、他の操作キーについて実行しない構成である、画像処理装置。
【００６９】
＜技術３＞
ユーザの入力操作を受け付ける操作部および電力供給部を備える画像処理装置に設けられ、前記電力供給部の電力供給により画像データの処理を実行する画像処理デバイスであって、
予め定められた省電力条件を満たすかどうかを判断する省電力判断処理と、
前記省電力条件を満たす前には、前記画像処理装置が有する通信部でのデータ受信の有無を監視し、
前記省電力条件を満たした場合には、前記データ受信の有無の監視を停止し、前記外部機器に連なる外部コネクタが前記通信部のコネクタ部に装着されているかどうかを検知する、画像処理デバイス。
【００７０】
＜他の実施形態＞
本発明は上記記述及び図面によって説明した実施形態に限定されるものではなく、例えば次のような種々の態様も本発明の技術的範囲に含まれる。
【００７１】
上記実施形態では、画像処理デバイス１は、複合機２およびプリンタ３に組み込み可能であり、複合機２およびプリンタ３それぞれに応じた処理を実行した（図３、図４参照）。しかし、画像処理デバイス１は、複合機２およびプリンタ３のいずれか一方のみに組み込まれ、図３および図４のいずれか一方の処理のみ実行可能な構成でもよい。
【００７２】
上記実施形態では、画像処理デバイス１は、互いに消費電力量が異なる高速ＣＰＵ１１および低速ＣＰＵ１２を有する構成であった。しかし、これに限らず、画像処理デバイス１は、１つのＣＰＵのみ有する構成、３つ以上のＣＰＵを有する構成、さらには、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路を有する構成や、ハード回路、及び、ＣＰＵの両方を有する構成でもよい。
【００７３】
上記実施形態では、第１モデルの一例として複合機２を例に挙げた。しかし、第１モデルは、これに限らず、プリンタ単体、スキャナ単体、ファクシミリ装置単体などでもよい。要するに、第１モデルは、操作部が、画像読取デバイスからの通知信号に基づき、電力供給部に第１電力供給モードから第２電力供給モードに切り替える構成を有する装置であればよい。
【００７４】
上記実施形態では、操作部２０は、パネル用ＣＰＵ２２およびメモリ２３を有する構成であった。しかし、これに限らず、操作部２０は、ＣＰＵを有さず、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などのハード回路を有する構成でもよい。また、操作部２０は、画像処理デバイス１の代わりに、上記第１次判断処理や第２次判断処理を実行する構成でもよい。
【００７５】
上記実施形態では、画像データの処理の例として、画像データの通信処理、印刷処理、スキャン処理を挙げた。しかし、画像データの処理は、これに限らず、表示部への画像表示処理や、画像データを所定のフォーマットに変換する変換処理などでもよい。
【００７６】
上記実施形態では、第２モデルの一例としてプリンタ３を例に挙げた。しかし、第２モデルは、これに限らず、複合機、スキャナ単体、ファクシミリ装置単体などでもよい。要するに、第２モデルは、操作部が、画像読取デバイスからの通知信号に基づき、電力供給部に第１電力供給モードから第２電力供給モードに切り替える構成を有しない装置であればよい。
【００７７】
上記実施形態では、複合機２は、電源ユニット３０が第２電力供給モード中に入力操作を受け付けた場合に第１電力供給モードに復帰する構成であった。しかし、これに限らず、例えば複合機２は、電源ユニット３０が第２電力供給モード中に、電源スイッチ４０を一旦オフされ再びオンされた場合に第１電力供給モードに復帰する構成でもよい。
【符号の説明】
【００７８】
１：画像処理デバイス  ２：複合機  ３：プリンタ  １１：高速ＣＰＵ１１  １２：低速ＣＰＵ  ２０：操作部  ３０：電源ユニット  ７１：通信部  ７１Ａ：コネクタ部  Ｋ：操作キー
【図１】
0005757249.tif 000002
【図２】
0005757249.tif 000003
【図３】
0005757249.tif 000004
【図４】
0005757249.tif 000005